(57)【要約】【課題】セキュリティ性の向上を実現する出入管理システムを得る。【解決手段】認証データを取得する認証端末１０と、電気錠２０と、あらかじめ登録された個人認証データと認証端末からの認証データとの照合結果に応じて電気錠２０の施解錠制御を行う端末コントローラ３０と、端末コントローラ３０による施解錠制御を管理する統括コントローラとを備え、認証端末は、入室希望者から取得した顔画像データおよび音声データを端末コントローラ３０に出力し、統括コントローラ５０は、端末コントローラ３０から取得した顔画像データおよび音声データに基づいて統括コントローラ操作者から入力される入室可否信号を取得し、端末コントローラ３０は、認証端末１０からの認証データ、および統括コントローラ５０からの入室可否信号に応じて電気錠２０の施解錠制御を行う。【選択図】図１
2008303550.tif 000002
【特許請求の範囲】
【請求項１】
入退室可否を識別するための認証データを取得する認証端末と、
入退室管理されるエリアの扉に設けられた電気錠と、
前記認証端末および前記電気錠と接続され、入退室許可者としてあらかじめ登録された個人認証データと、前記認証端末からの前記認証データとの照合結果に応じて前記電気錠の施解錠制御を行う端末コントローラと、
前記端末コントローラとネットワークを介して接続され、前記端末コントローラによる前記施解錠制御を管理する統括コントローラと
を備えた出入管理システムであって、
前記認証端末は、入室希望者の顔画像データを取得する画像取得機能と、音声データを入出力処理するインターホン機能とを有し、前記入室希望者から取得した顔画像データおよび音声データを前記端末コントローラに出力し、
前記統括コントローラは、画像データ表示機能、音声データ再生機能、および信号入力機能を有し、前記ネットワークを介して前記端末コントローラから前記入室希望者に関する前記顔画像データおよび前記音声データを取得し、前記顔画像データを表示するとともに前記音声データを再生することにより、統括コントローラ操作者から入力される入室可否信号を取得し、前記入室可否信号を前記ネットワークを介して前記端末コントローラに送信し、
前記端末コントローラは、前記認証端末からの前記認証データ、および前記統括コントローラからの前記入室可否信号に応じて前記電気錠の施解錠制御を行う
ことを特徴とする出入管理システム。
【請求項２】
請求項１に記載の出入管理システムにおいて、
前記認証端末は、まず始めに、前記入室希望者から取得した顔画像データおよび音声データを前記端末コントローラに送信し、
前記端末コントローラは、前記顔画像データおよび前記音声データを前記統括コントローラに送信し、前記統括コントローラからの応答として取得した入室可否信号が入室許可信号である場合には、所定時間に限って前記入室希望者からの認証データの入力を受け付けるための認証データ入力許可信号を前記認証端末に送信し、前記認証データ入力許可信号を送信している間に前記認証端末から取得した認証データに応じて前記電気錠の施解錠制御を行う
ことを特徴とする出入管理システム。
【請求項３】
請求項１に記載の出入管理システムにおいて、
前記認証端末は、まず始めに、前記入室希望者から取得した認証データを前記端末コントローラに送信し、
前記端末コントローラは、前記認証端末からの前記認証データが入室許可すべきデータであると判断した場合には、所定時間に限って前記入室希望者からの顔画像データおよび音声データの入力を受け付けるための画像・音声データ入力許可信号を前記認証端末に送信し、前記画像・音声データ入力許可信号を送信している間に前記認証端末から取得した顔画像データおよび音声データを前記統括コントローラに送信し、前記統括コントローラからの応答として取得した入室可否信号に応じて前記電気錠の施解錠制御を行う
ことを特徴とする出入管理システム。
【請求項４】
請求項１ないし３のいずれか１項に記載の出入管理システムにおいて、
前記端末コントローラは、あらかじめ決められた第１の時間帯においては、前記認証端末からの前記認証データ、および前記統括コントローラからの前記入室可否信号に応じて前記電気錠の施解錠制御を行い、前記第１の時間帯以外の時間帯においては、前記認証端末からの前記認証データのみに応じて前記電気錠の施解錠制御を行うことを特徴とする出入管理システム。
【発明の詳細な説明】
【技術分野】
【０００１】
本発明は、セキュリティ管理が必要なエリアへの入退室を認証処理に基づいて管理する出入管理システムに関する。
【背景技術】
【０００２】
セキュリティが必要なエリアへの出入管理を行う際に、入室するための外側扉にカメラ・インターホン付のカードリーダ子機（本例では、ＩＰインターホンに相当し、以下の説明では単に子機と称す）を設け、ＬＡＮ（ローカルエリアネットワーク）にてカメラ・インターホン付のカードリーダ親機（本例では、ＰＣに相当し、以下の説明では単に親機と称す）と接続するシステムがある（例えば、特許文献１参照）。子機および親機は、複数台設置してもよい。
【０００３】
子機は、訪問者（すなわち、入室希望者）の顔などを撮像するカメラ、応対者の顔などを表示するディスプレイ、訪問者の声を集めるマイク、および応対者の声を出力するスピーカを備えている。
【０００４】
一方、親機も、子機と同様の構成を備えており、応対者の顔などを撮像するカメラ、訪問者の顔などを表示するディスプレイ、応対者の声を集めるマイク、および訪問者の声を出力するスピーカを備えている。
【０００５】
顔画像や音声などのアナログ信号は、ディジタル化処理した後、パケットとしてＩＰ（インターネットプロトコル）通信により、ＬＡＮ上を流れる。子機より呼び出しのあった親機では、訪問者の顔を画像にて確認し、通話しながら遠隔解錠などの制御操作を行うことができる。
【０００６】
【特許文献１】特許第３６４９７２５号公報
【発明の開示】
【発明が解決しようとする課題】
【０００７】
しかしながら、従来技術には次のような課題がある。
特定の子機より呼び出し可能な親機を、あらかじめ決めるなどの制限を設けることは可能であるが、親機を操作すれば、誰でも遠隔解錠などの操作ができ、セキュリティ上問題となることがあった。また、子機の操作は、誰でも（すなわち、カードを所持していない人でも）行うことができ、この面でもセキュリティ上問題となることがあった。
【０００８】
本発明は上述のような課題を解決するためになされたもので、セキュリティ性の向上を実現する出入管理システムを得ることを目的とする。
【課題を解決するための手段】
【０００９】
本発明に係る出入管理システムは、入退室可否を識別するための認証データを取得する認証端末と、入退室管理されるエリアの扉に設けられた電気錠と、認証端末および電気錠と接続され、入退室許可者としてあらかじめ登録された個人認証データと、認証端末からの認証データとの照合結果に応じて電気錠の施解錠制御を行う端末コントローラと、端末コントローラとネットワークを介して接続され、端末コントローラによる施解錠制御を管理する統括コントローラとを備えた出入管理システムであって、認証端末は、入室希望者の顔画像データを取得する画像取得機能と、音声データを入出力処理するインターホン機能とを有し、入室希望者から取得した顔画像データおよび音声データを端末コントローラに出力し、統括コントローラは、画像データ表示機能、音声データ再生機能、および信号入力機能を有し、ネットワークを介して端末コントローラから入室希望者に関する顔画像データおよび音声データを取得し、顔画像データを表示するとともに音声データを再生することにより、統括コントローラ操作者から入力される入室可否信号を取得し、入室可否信号をネットワークを介して端末コントローラに送信し、端末コントローラは、認証端末からの認証データ、および統括コントローラからの入室可否信号に応じて電気錠の施解錠制御を行うものである。
【発明の効果】
【００１０】
本発明によれば、認証データに基づく端末コントローラによる認証と、画像・音声データに基づく統括コントローラによる認証という二重の認証を行うことにより、セキュリティ性の向上を実現する出入管理システムを得ることができる。
【発明を実施するための最良の形態】
【００１１】
以下、本発明の出入管理システムの好適な実施の形態につき図面を用いて説明する。
本発明の出入管理システムは、入退室許可者としてあらかじめ登録された個人認証データと、入室希望者により入力された認証データとの照合処理に基づく認証、および入室希望者の顔画像データおよび音声データに基づいて統括コントローラの操作者により行われる認証の二重の管理を行うことにより、セキュリティ性の向上を図ることができることを特徴としている。
【００１２】
実施の形態１．
図１は、本発明の実施の形態１における出入管理システムの構成図である。この出入管理システムは、認証端末１０、電気錠２０、端末コントローラ３０、ネットワーク４０、および統括コントローラ５０で構成される。ここで、認証端末１０は、子機に相当し、統括コントローラ５０は、親機に相当する。
【００１３】
さらに、子機である認証端末１０は、画像取得機能１１およびインターホン機能１２を備えている。一方、親機である統括コントローラ５０は、画像データ表示機能５１、音声データ再生機能５２、信号入力機能５３を備えている。
【００１４】
次に、動作について説明する。
認証端末１０は、入退室を希望する来訪者の操作により、入退室可否を識別するための認証データを取得する。電気錠２０は、入退室管理されるエリアの扉に設けられ、施解錠制御に用いられる。
【００１５】
端末コントローラ３０は、認証端末１０および電気錠２０と接続されている。さらに、端末コントローラ３０は、入退室許可者としてあらかじめ登録された個人認証データを記憶部（図示せず）に有している。そして、端末コントローラ３０は、認証端末１０で取得された認証データと、記憶部に記憶された個人認証データとの照合結果に応じて、電気錠２０の施解錠制御を行う。
【００１６】
ここで、本実施の形態１における出入管理システムは、入室希望者の顔画像データおよび音声データに基づいて、統括コントローラ５０の操作者により行われる認証をさらに加味して施解錠制御を行う点を技術的特徴としている。そこで、この統括コントローラ５０の操作者により行われる認証について、次に説明する。
【００１７】
本発明における認証端末１０は、入室希望者の顔画像データを取得する画像取得機能と音声データを入出力処理するインターホン機能とをさらに有している。画像取得機能の一例としては、カメラが挙げられ、インターホン機能の一例としては、マイクおよびスピーカが挙げられる。そして、認証端末１０は、入室希望者の操作に基づいて、入室希望者の顔画像データおよび音声データを取得し、端末コントローラ３０に送信する。
【００１８】
これに対して、端末コントローラ３０は、受信した入室希望者の顔画像データおよび音声データを、ネットワーク４０を介して統括コントローラ５０に送信する。
【００１９】
一方、本発明における統括コントローラ５０は、画像データ表示機能、音声データ再生機能、および信号入力機能を有している。画像データ表示機能の一例としては、ディスプレイが挙げられ、音声データ再生機能の一例としては、スピーカが挙げられ、さらに、信号入力機能としては、キー入力が挙げられる。
【００２０】
統括コントローラ５０は、ネットワーク４０を介して端末コントローラ３０から入室希望者に関する顔画像データおよび音声データを取得する。そして、統括コントローラ５０は、取得した顔画像データをディスプレイ上に表示するとともに、取得した音声データをスピーカにより再生する。
【００２１】
これにより、統括コントローラ５０の操作者は、表示された顔画像データおよび再生された音声データ（すなわち、インターホン通信）に基づいて、入室希望者の入室を許可するか否かを判断することができる。そして、統括コントローラ５０の操作者は、入室を許可すると判断した場合には、キー入力操作により、入室可否信号として入室許可の信号を入力する。
【００２２】
そして、統括コントローラ５０は、操作者により入力された入室可否信号を、ネットワーク４０を介して端末コントローラ３０に送信する。これに対して、端末コントローラ３０は、先に送信した入室希望者の顔画像データおよび音声データの応答として、統括コントローラ５０から入室可否信号を受信することができる。
【００２３】
この結果、本発明における端末コントローラ３０は、認証データに基づく照合結果と、入室希望者の顔画像データおよび音声データに基づいて、統括コントローラ５０の操作者により行われる認証結果の両方に基づいて、施解錠制御を行うことができる。
【００２４】
次に、フローチャートを用いて、具体的な処理の流れを説明する。
図２は、本発明の実施の形態１における出入管理システムの一連の処理を示すフローチャートである。なお、以下の説明においては、認証端末１０のことを子機と称し、統括コントローラ５０のことを親機と称し、さらに、入室希望者のことを来訪者と称することとする。また、認証手段の一例として、カードリーダを適用する場合について説明する。
【００２５】
まず始めに、来訪者の操作に基づいて、子機より親機を呼び出す（ステップＳ２０１）。親機の操作者は、インターホン通信により来訪者の顔画像データと音声データを確認し、来訪者の入室を許可すべきか否かを判断する（ステップＳ２０２）。そして、親機の操作者は、入室を許可しないと判断した場合には、子機に対して接続を拒否する（ステップＳ２０３）。
【００２６】
これに対して、端末コントローラ３０は、先に送信した入室希望者の顔画像データおよび音声データの応答として、親機により接続を拒否されたため、入室できないことを来訪者に伝えるために、その旨を子機に表示する、または、子機から音声出力する（ステップＳ２０４）。
【００２７】
一方、先のステップＳ２０２において、親機の操作者は、入室を許可すると判断した場合には、キー入力操作により、入室可否信号として入室許可の信号を入力する。この結果、子機と親機との間で、動画像付き通話を可能とする（ステップＳ２０５）。そして、親機は、この入室許可の信号を端末コントローラ３０に対して送信する（ステップＳ２０６）。
【００２８】
端末コントローラ３０は、親機から入室許可の信号を受信することにより、子機によるカードリーダ操作を可能にする（ステップＳ２０７）。さらに、端末コントローラ３０は、親機から入室許可の信号を受信してから一定時間（例えば、５秒）経過したかを判断する（ステップＳ２０８）。
【００２９】
そして、端末コントローラ３０は、一定時間が経過したと判断した場合には、カードリーダ操作を不能状態にし（ステップＳ２０９）、入室できないことを来訪者に伝えるために、その旨を子機に表示する、または、子機から音声出力する（ステップＳ２０４）。
【００３０】
一方、端末コントローラ３０は、一定時間がまだ経過していないと判断した場合には、カードリーダ操作を可能状態とする（ステップＳ２１０）。そして、端末コントローラ３０は、子機で取得した認証データとあらかじめ登録された個人認証データとを照合し、照合結果が一致するかを判断する（ステップＳ２１１）。
【００３１】
照合結果が一致しない場合には、再びステップＳ２０８に戻る。一方、照合結果が一致した場合には、端末コントローラ３０は、入室希望者の顔画像データおよび音声データに基づいて、統括コントローラ５０の操作者により行われた認証結果に引き続いて、認証データに基づく照合結果もＯＫになったと判断し、電気錠２０を解錠し、訪問者の入室を可能にする（ステップＳ２１２）。
【００３２】
以上のように、実施の形態１によれば、親機応対者の判断と、それに続く来訪者のカード認証という二重の認証を行って、電気錠の施解錠制御を行うことができ、セキュリティ性の向上を図ることができる。
【００３３】
さらに、親機側での判断にあたっては、インターホン通話を活用することができ、来訪者の顔画像および音声に基づいた認証が可能となり、本人確認を容易に行うことができる。
【００３４】
実施の形態２．
先の実施の形態１では、顔画像および音声に基づく親機応対者による認証判断をした後に、認証データに基づく認証を行うことにより、二重の認証を実現していた。これに対して、本実施の形態２では、この２つの認証の順番を入れ替えた場合について説明する。
【００３５】
図３は、本発明の実施の形態２における出入管理システムの一連の処理を示すフローチャートである。なお、以下の説明においては、認証端末１０のことを子機と称し、統括コントローラ５０のことを親機と称し、さらに、入室希望者のことを来訪者と称することとする。また、認証手段の一例として、カードリーダを適用する場合について説明する。
【００３６】
まず始めに、来訪者は、カードリーダを操作して認証データを読み取らせる（ステップＳ３０１）。これに対して、端末コントローラ３０は、子機で取得した認証データとあらかじめ登録された個人認証データとを照合し、照合結果が一致するかを判断する（ステップＳ３０２）。
【００３７】
照合結果が一致しない場合には、端末コントローラ３０は、入室できないことを来訪者に伝えるために、その旨を子機に表示する、または、子機から音声出力する（ステップＳ３０３）。
【００３８】
一方、照合結果が一致した場合には、端末コントローラ３０は、子機より親機を呼び出す（ステップＳ３０４）。親機の操作者は、インターホン通信により来訪者の顔画像データと音声データを確認し、来訪者の入室を許可すべきか否かを判断する（ステップＳ３０５）。そして、親機の操作者は、入室を許可しないと判断した場合には、入室できないことを来訪者に伝えるために、その旨を子機に表示する、または、子機から音声出力する（ステップＳ３０３）。
【００３９】
一方、先のステップＳ３０５において、親機の操作者は、入室を許可すると判断した場合には、キー入力操作により、入室可否信号として入室許可の信号を入力する。この結果、子機と親機との間で、動画像付き通話を可能とする（ステップＳ３０６）。そして、親機は、この入室許可の信号を端末コントローラ３０に対して送信する（ステップＳ３０７）。
【００４０】
親機から入室許可の信号を受信した端末コントローラ３０は、認証データに基づく照合結果に引き続いて、入室希望者の顔画像データおよび音声データに基づいて、統括コントローラ５０の操作者により行われた認証結果もＯＫになったと判断し、電気錠２０を解錠し、訪問者の入室を可能にする（ステップＳ３０８）。
【００４１】
以上のように、実施の形態２によれば、来訪者のカード認証と、それに続く親機応対者の判断という二重の認証を行って、電気錠の施解錠制御を行うことができ、セキュリティ性の向上を図ることができる。
【００４２】
さらに、親機側での判断にあたっては、インターホン通話を活用することができ、来訪者の顔画像および音声に基づいた認証が可能となり、本人確認を容易に行うことができる。
【００４３】
実施の形態３．
本実施の形態３では、あらかじめ決められた時間帯でのみ、先の実施の形態１、２で説明したような二重の認証を行うことによりセキュリティ性を高め、その他の時間帯においては、認証データに基づく照合のみを行うことにより、電気錠の施解錠制御を行う場合について説明する。
【００４４】
在席者が多いと思われるような時間帯（例えば、平日の１０時〜１８時など）は、従来のカードリーダを用いた認証データに基づく照合（低セキュリティモード）のみを行う。すなわち、在席者が多い時間帯では、セキュリティを下げ、来訪者の入室を許可しても、入室後に在席者による目視チェックが期待でき、操作性が重要視される出入管理システムとなる。
【００４５】
一方、それ以外の時間帯では、先の実施の形態１または２のいずれか１つの二重の認証（高セキュリティモード）を行うように、動作モードを変更する。在席者が少ない時間帯では、目視チェックが期待できないことが考えられるが、応対者の認証とカードによるダブル認証により、セキュリティ性を高めることができる。
【００４６】
図４は、本発明の実施の形態３における出入管理システムの一連の処理を示すフローチャートである。まず始めに、端末コントローラ３０は、現在の時刻が、平日の昼間の時間帯であるか否かを判断する（ステップＳ４０１）。
【００４７】
そして、端末コントローラ３０は、昼間の時間帯であると判断した場合には、従来のカードリーダを用いた認証データに基づく照合（低セキュリティモード）のみを行う（ステップＳ４０２）。すなわち、親機応対者の判断をおこなわないこととなるが、在席者による目視チェックがはたらくこととなる。
【００４８】
一方、ステップＳ４０１において、昼間の時間帯でないと判断した場合には、端末コントローラ３０は、二重の認証（高セキュリティモード）を行うように、動作モードを変更する（ステップＳ４０３）。これにより、目視チェックが手薄になる時間帯には、セキュリティ性を高めることが可能となる。
【００４９】
以上のように、実施の形態３によれば、動作モードを時間帯に応じて変更し、二重の認証による高セキュリティ性を必要とする時間帯を限定することにより、トータルとしてセキュリティ性を保ちながら、操作性のよい出入管理システムを得ることができる。
【００５０】
なお、上述の実施の形態１〜３においては、認証手段として、カードリーダによるカード認証を適用する場合について説明したが、本発明の出入管理システムは、これに限定されるものではない。カード認証の代わりに、ＩＤ番号の入力や、指紋などバイオ認証を行う構成としてもよく、同様の効果を得ることができる。
【図面の簡単な説明】
【００５１】
【図１】本発明の実施の形態１における出入管理システムの構成図である。
【図２】本発明の実施の形態１における出入管理システムの一連の処理を示すフローチャートである。
【図３】本発明の実施の形態２における出入管理システムの一連の処理を示すフローチャートである。
【図４】本発明の実施の形態３における出入管理システムの一連の処理を示すフローチャートである。
【符号の説明】
【００５２】
１０  認証端末、１１  画像取得機能、１２  インターホン機能、２０  電気錠、３０  端末コントローラ、４０  ネットワーク、５０  統括コントローラ、５１  画像データ表示機能、５２  音声データ再生機能、５３  信号入力機能。
【図１】
2008303550.tif 000003
【図２】
2008303550.tif 000004
【図３】
2008303550.tif 000005
【図４】
2008303550.tif 000006